(57)【要約】      （修正有）【課題】接続部材の断線を防止し、共電極接触パッドとスクリーン酸化インジウムスズ（ＩＴＯ）層の良好な接触を確保する表示装置を提供する。【解決手段】第一基板１と、第一基板に対向して設置される第二基板２と、第一基板の非重複区１０２上に設置される第一導電層３と、第二基板に設置されると共に第一基板に対面する他側に位置される第二導電層４と、第一導電層及び第二導電層に位置されると共に第一導電層及び第二導電層に電気的に接続される接続部材５とを備える。第一基板と第二基板とが重畳する領域に重複区１０１が画定され、重畳しない領域に非重複区１０２が画定される。接続部材は第一基板の重複区と非重複区との接合箇所に第一幅を有し、第二基板の重複区と非重複区との接合箇所に第二幅を有し、且つ第二幅は第一幅より小さい。【選択図】図１
0003200182.tif 000002
【実用新案登録請求の範囲】
【請求項１】
第一基板と、
前記第一基板設置に対向する第二基板であって、前記第一基板と前記第二基板とが重畳する領域に重複区が画定され、前記第一基板と前記第二基板とが重畳しない領域に非重複区が画定されることと、
前記第一基板の非重複区に設置される第一導電層と、
前記第二基板に設置され、且つ前記第一基板に対面する他側に位置される第二導電層と、
前記第一導電層及び前記第二導電層に位置されると共に前記第一導電層及び前記第二導電層に電気的に接続される接続部材とを備え、
ここでは、前記接続部材は前記第一基板の前記重複区と前記非重複区との接合箇所に第一幅を有し、前記接続部材は前記第二基板の前記重複区と前記非重複区との接合箇所に第二幅を有し、且つ前記第二幅は前記第一幅より小さいことを特徴とする表示装置。
【請求項２】
前記接続部材は前記第一基板に位置され、第一面積を有し、また、前記接続部材は前記第二基板に位置され、第二面積を有し、前記第二面積は前記第一面積より小さいことを特徴とする、請求項１に記載の表示装置。
【請求項３】
前記第二基板は、前記第二基板の前記第一導電層に対面する一側に位置する遮光層を有し、前記遮光層は開口部を有することを特徴とする、請求項１に記載の表示装置。
【請求項４】
前記接続部材は前記遮光層の開口部を被覆させることを特徴とする、請求項３に記載の表示装置。
【請求項５】
前記第一基板と前記第二基板との間に位置される表示層をさらに備えることを特徴とする、請求項１に記載の表示装置。
【請求項６】
前記表示層は液晶層であることを特徴とする、請求項５に記載の表示装置。
【請求項７】
前記第一基板の非重複区に位置され、固定電圧を有し、且つ前記第一導電層に電気的に接続される接続パッドをさらに備えることを特徴とする、請求項１に記載の表示装置。
【請求項８】
前記第一基板の重複区に位置されて前記第一導電層と同じ層に位置される共電極をさらに備え、且つ前記共電極及び前記第一導電層は隙間を有し、前記共電極は前記第一導電層に電気的に接続されることを特徴とする、請求項５に記載の表示装置。
【請求項９】
前記表示層と前記共電極との間に位置される画素電極をさらに備えることを特徴とする、請求項８に記載の表示装置。
【請求項１０】
前記第二導電層に設置される偏光部材をさらに備え、前記偏光部材の一端部から前記第二導電層の同一の側辺の第一端部にかけて第一距離を有し、前記偏光部材の他の端部から前記第二導電層の同一の側辺の第二端部にかけて第二距離を有し、前記第一端部は前記接続部材に隣接し、且つ前記第一距離は前記第二距離より大きいことを特徴とする、請求項１に記載の表示装置。
【請求項１１】
前記第二導電層に設置されるタッチパネルをさらに備えることを特徴とする、請求項１に記載の表示装置。
【考案の詳細な説明】
【技術分野】
【０００１】
本考案は、共電極接触パッドとスクリーン酸化インジウムスズ(ITO)層の良好な接触を確保する表示装置に関する。
【背景技術】
【０００２】
表示器技術の不断の進歩に伴い、あらゆる装置が小型化、薄型化、軽量化に向けて発展しており、現在市販される主流な表示器装置はブラウン管から液晶表示装置に変化している。特に、液晶表示装置が応用される分野は相当に広く、日常的に使用される携帯電話、ノートパソコン、ビデオカメラ、カメラ、音楽プレーヤー、ＧＰＳ装置、テレビ等の表示装置の表示パネルの多くは液晶表示パネルを使用している。近年、簡潔で直感的な操作性が求められており、タッチパネルを有する表示装置が生活の中での応用に広がりを見せている。
【０００３】
タッチパネル技術は信号発生原理に違いがあり、主に静電容量方式と抵抗膜方式に分けられる。静電容量方式のタッチコントロールにはＩＴＯ (Indium Tin Oxide；酸化インジウムスズ)が検出用電極として使用され、透明基板に垂直及び水平に軸方向に配列され、且つ異なる軸方向の隣接する検出用電極の間に静電容量が発生し、導体(例えば、指やスタイラスペン)が検出用電極に近付くと前記静電容量が変化して接触信号が発生する。抵抗膜方式のタッチコントロールでは二層の電極を備え、二層の電極の間にはドットスペーサー(dot spacer)が設置されて二層の電極を絶縁させ、物体が接触することで発生する圧力により二層の電極が接続されて電位差の信号を発生させ、信号が回路を経由して制御器に伝送され、接触点の座標位置の処理及び計算が行われる。
【０００４】
また、一般的には、スクリーン酸化インジウムスズ(ITO)層と共電極接触パッドとを電気的に接続させるため、銀ペースト構造がスクリーン酸化インジウムスズ(ITO)層及び共電極接触パッドに形成される。
【考案の概要】
【考案が解決しようとする課題】
【０００５】
しかしながら、前述した従来の技術では、即ち、銀ペースト構造が大き過ぎると剥落しやすくなり、銀ペースト構造の体積が小さ過ぎるとガラス基板の段差により銀ペーストが断線しやすくなる。よって、現在の表示装置は技術的に成熟してきており、各メーカーはより高い歩留りを有する表示装置の開発に力を入れ、消費者により安定した品質の製品を提供する。
【０００６】
そこで、本考案者は上記の欠点が改善可能と考え、鋭意検討を重ねた結果、合理的設計で上記の課題を効果的に改善する本考案の提案に到った。
【０００７】
本考案は、以上の従来技術の課題を解決する為になされたものである。即ち、本考案の目的は、表示装置を提供することにある。換言すれば、銀ペーストの断線の危険性を減少させ、表示装置の歩留りを高める。
【課題を解決するための手段】
【０００８】
上述した課題を解決し、目的を達成するために、本考案に係る表示装置は、
第一基板と、前記第一基板設置に対向する第二基板であって、前記第一基板と前記第二基板とが重畳する領域に重複区が画定され、前記第一基板と前記第二基板とが重畳しない領域に非重複区が画定されることと、前記第一基板の非重複区に設置される第一導電層と、前記第二基板に設置され、且つ前記第一基板に対面する他側に位置される第二導電層と、前記第一導電層及び前記第二導電層に位置されると共に前記第一導電層及び前記第二導電層に電気的に接続される接続部材とを備える。ここでは、前記接続部材は前記第一基板の前記重複区と前記非重複区との接合箇所に第一幅を有し、前記接続部材は前記第二基板の前記重複区と前記非重複区との接合箇所に第二幅を有し、且つ前記第二幅は前記第一幅より小さいことを特徴とする。  
【０００９】
本考案に係る表示装置において、前記接続部材は前記第一基板に位置され、第一面積を有し、また、前記接続部材は前記第二基板に位置され、第二面積を有し、前記第二面積は前記第一面積より小さい。
【００１０】
本考案に係る表示装置において、前記第二基板は、前記第二基板の前記第一導電層に対面する一側に位置する遮光層を有し、前記遮光層は開口部を有し、前記接続部材は前記遮光層の開口部を被覆させ、前記遮光層の前記開口部は前記接続部材の一側に隣接する。
【００１１】
また、本考案に係る表示装置は、前記第一基板と前記第二基板との間に位置される表示層をさらに備え、前記表示層は液晶層である。
【００１２】
本考案に係る表示装置は、前記第一基板の非重複区に位置され、固定電圧を有し、且つ前記第一導電層に電気的に接続される接続パッドをさらに備える。
【００１３】
なお、本考案に係る表示装置は、前記第一基板の重複区に位置されて前記第一導電層と同じ層に位置される共電極をさらに備え、且つ前記共電極及び前記第一導電層は隙間を有し、前記共電極は前記第一導電層に電気的に接続される。
【００１４】
さらに、本考案に係る表示装置は、前記表示層と前記共電極との間に位置される画素電極をさらに備える。
【００１５】
本考案に係る表示装置は、前記第二導電層に設置される偏光部材をさらに備え、前記偏光部材の一端部から前記第二導電層の同一の側辺の第一端部にかけて第一距離を有し、前記偏光部材の他の端部から前記第二導電層の同一の側辺の第二端部にかけて第二距離を有し、前記第一端部は前記接続部材に隣接し、且つ前記第一距離は前記第二距離より大きい。
【００１６】
本考案に係る表示装置は、前記第二導電層に設置されるタッチパネルをさらに備える。
【考案の効果】
【００１７】
本考案の表示装置によれば、前記接続部材は前記第一基板の前記第一幅が前記第二基板の前記第二幅より大きく、前記第一導電層と前記第二導電層との間には良好な電気的接触を有し、前記接続部材が前記重複区と前記非重複区との接合箇所に断裂を発生させる危険性を大幅に減少させ、本考案に係る表示装置は歩留りが高いという長所を有する。
【図面の簡単な説明】
【００１８】
【図１】本考案の好ましい実施形態に係る表示装置を説明する断面図である。
【図２】本考案の好ましい実施形態に係る表示装置を説明する上面図である。
【図３】図１に示す表示装置（タッチパネルは含まず）を説明する上面図である。
【考案を実施するための形態】
【００１９】
以下に、特定の具体的実施例を通じて本考案の実施形態を説明し、本考案の属する技術分野の技術者は本明細書で開示される内容から簡単に本考案その他の利点と効果を理解できる。本考案もその他異なる具体的実施例を通じて実施或いは運用できる。また、本明細書内の各細部に異なる見解と応用について、本考案の要旨を逸脱することなく様々な変更や修正を加えることができる。
【００２０】
以下、本考案の具体的な実施形態について添付図面に基づき説明する。
＜第１実施形態＞
図１は本考案の表示装置を示す断面図である。本考案の表示装置１００は、第一基板１と、前記第一基板１に対向して設置される第二基板２であって、前記第一基板１と前記第二基板２とが重畳する領域には重複区１０１が画定され、前記第一基板１と前記第二基板２とが重畳しない領域には非重複区１０２が画定されることと、前記第一基板１の非重複区１０２に設置される第一導電層３と、前記第二基板２に設置されると共に前記第一基板１に対面する他側に位置される第二導電層４と、前記第一導電層３及び前記第二導電層４に位置されると共に前記第一導電層３及び前記第二導電層４に電気的に接続される接続部材５とを備える。
【００２１】
前記第二基板２は遮光層６を有し、前記第二基板２の前記第一導電層３に対面する一側に位置される。前記遮光層６は開口部６１を有し、前記開口部６１は前記接続部材５の一側に隣接される。本実施形態では、前記接続部材５は前記第二導電層４の領域で前記遮光層６の開口部６１を被覆させる。但し、本考案はこれに限定されない。また、本実施形態では、第二基板２はカラーフィルター基板であり、カラーフィルター２１を備える。
【００２２】
前記表示装置１００は、前記第一基板１と前記第二基板２との間に位置される表示層７をさらに備え、前記液晶層の二側には密封部材７１が設置される。前記表示層は、例えば液晶層である。
【００２３】
また、前記表示装置１００は、前記第一基板１の重複区１０１に位置されると共に前記第一基板１と前記第二基板２との間に位置される画素電極８１及び共電極８２をさらに備える。前記画素電極８１は前記共電極８２の上方に位置され、前記画素電極８１と前記共電極８２との間には一層の層間絶縁膜（interlayer insulation film）９１が設けられ、前記共電極８２及び前記第一導電層３は同じ層に位置される。前記共電極８２と前記第一導電層３との間には隙間６２を有し、且つ前記第一導電層３に電気的に接続される。前記共電極８２と前記第一基板１との間には絶縁層９２が設けられ、且つ前記絶縁層９２は接触孔１３を有する。
【００２４】
前記表示装置１００は接続パッド１２をさらに備え、前記接続パッド１２は前記第一基板１の非重複区１０２に位置され、且つ前記絶縁層９２と前記第一基板１との間に位置される。前記接続パッド１２は固定電圧を有し、前記第一導電層３は前記接触孔１３により前記接続パッド１２に電気的に接続される。
【００２５】
また、前記表示装置１００は偏光部材１０及びタッチパネル１１をさらに備え、前記偏光部材１０は前記第二導電層４に設置され、且つ前記タッチパネル１１は前記偏光部材１０に設置される。これにより、前記表示装置１００はタッチコントロール表示装置となる。
【００２６】
図２は図１に示す表示装置１００を示す上面図である。図１は図２のａ‐ａ断面線で標示される箇所の断面図である。前記接続部材５は前記第一基板１の前記重複区１０１と前記非重複区１０２との接合箇所に第一幅Ｌ１を有し、前記接続部材５は前記第二基板２の前記重複区１０１と前記非重複区１０２との接合箇所に第二幅Ｌ２を有し、且つ前記第二幅Ｌ２は前記第一幅Ｌ１より小さい。また、前記接続部材５は前記第一基板１に位置され、第一面積Ａ１を有し、前記接続部材５は前記第二基板２に位置され、第二面積Ａ２を有し、前記第二面積Ａ２は前記第一面積Ａ１より小さい。
【００２７】
図３は図１に示す表示装置（タッチパネルは含まず）を説明する上面図である。前記偏光部材１０の側辺１０ａから前記第二導電層４の同一の側辺の第一端部４１にかけて第一距離Ｄ１を有し、前記偏光部材１０の他側辺１０ｂから前記第二導電層４の同一の側辺の第二端部４２にかけて第二距離Ｄ２を有する。前記第一端部４１は前記接続部材５に隣接し、且つ前記第一距離Ｄ１は前記第二距離Ｄ２より大きい。
【００２８】
本実施形態において、各部材は本技術分野で常用される。例えば、第一基板は薄膜トランジスタ基板であり、第二基板はカラーフィルター基板であり、第一導電層は接続パッドに電気的に接続される電極層である。材料は酸化インジウムスズ(ITO)、酸化インジウム亜鉛(IZO)、或いは他の透明導電薄膜材料(transparent conductive oxide、TCO)等である。第二導電層はスクリーン酸化インジウムスズ(ITO)層、酸化インジウム亜鉛(IZO)、或いは他の透明導電薄膜材料(transparent conductive oxide、 TCO)であり、接続部材の材料は銀や銅等の金属材料である。偏光部材は光線の偏光方向の調整を行う膜層であり、例えば、ポリビニルアルコール膜(PVA)や三酢酸セルロース膜(TAC)等である。遮光層にはフォトレジスト或いはブラックマトリックス(black matrix)に用いられる材料が使用される。絶縁層の材料は窒化珪素(SiNx)或いは酸化珪素(SiOx)等の材料であり、再述はしない。本実施形態では、電極の配置形態はＦＦＳ方式であり、本考案はこれに限定されず、他の従来の電極の形態でも設置可能であり、例えばＩＰＳ方式でもよい。
【００２９】
以上のとおり、本考案の表示装置によれば、前記接続部材は前記第一基板の前記第一幅が前記第二基板の前記第二幅より大きく、前記第一導電層と前記第二導電層との間には良好な電気的接触を有し、前記接続部材が前記重複区と前記非重複区との接合箇所で断裂を発生させる危険性を大幅に減少させ、本考案の表示装置は歩留りが高いという長所を有する。
【００３０】
以上に述べた実施例は、あくまでも説明の便宜のために挙げたものであって、本考案で主張する権利範囲は実用新案登録請求の範囲で記載されるものを基準とし、上記実施例のみに限定されるものではない。
【符号の説明】
【００３１】
１  第一基板
２  第二基板
２１  カラーフィルター
３  第一導電層
４  第二導電層
４１  第一端部
４２  第二端部
５  接続部材
６  遮光層
６１  開口部
６２  隙間
７  表示層
８１  画素電極
８２  共電極
９１  層間絶縁膜
９２  絶縁層
１０  偏光部材
１０ａ  側辺
１０ｂ  側辺
１１  タッチパネル
１２  接続パッド
１３  接触孔
１００  表示装置
１０１  重複区
１０２  非重複区
【図１】
0003200182.tif 000003
【図２】
0003200182.tif 000004
【図３】
0003200182.tif 000005